(57)【要約】【課題】  磁気テープを巻装した巻取ハブとシートとの接触抵抗を低減させることができる磁気テープカセットを提供する。【解決手段】  上ハーフ１０と下ハーフ１１とを蓋合わせ状に結合して形成されたカセットケースと、カセットケース内に回転可能に配され、磁気テープ２１を巻回した一対の巻取ハブ２２と、巻取ハブ２２の上側と下側に配置されたシート２４，２５とを備え、下側のシート２４における巻取ハブ２２と接触する位置に巻取ハブ２２側に突設されたシボリ部３１が設けられている。【選択図】  図１
2005243080.tif 000002
【特許請求の範囲】
【請求項１】
上ハーフと下ハーフとを蓋合わせ状に結合して形成されたカセットケースと、
前記カセットケース内に回転可能に配され、磁気テープを巻回した一対の巻取ハブと、
前記巻取ハブの上側と下側に配置されたシートとを備え、
前記下側のシートにおける前記巻取ハブと接触する位置に前記巻取ハブ側に突設されたシボリ部が設けられていることを特徴とする磁気テープカセット。
【請求項２】
前記シボリ部が前記巻取ハブの磁気テープを巻回する側壁の端部に接触するように設けられていることを特徴とする請求項１に記載の磁気テープカセット。
【発明の詳細な説明】
【技術分野】
【０００１】
本発明は、磁気テープカセットに係り、特に磁気テープを円滑に走行させることができる磁気テープカセットに関する。
【背景技術】
【０００２】
ＤＤＳやＤＡＴ用の磁気テープカセットとしては、従来、例えば特許文献１に記載されたものがある。図４に従来の磁気テープカセットを示す。
従来の磁気テープカセットでは、図４に示すように、長尺の磁気テープ１を巻回した一対の巻取ハブ２を、その表裏から上側のシート３及び下側のシート４によって挟んだ構造とされている。そして、このようにシート３，４に挟まれた磁気テープ１は、下ハーフ５に配設され、この下ハーフ５にその上方から巻取ハブ２の回転を規制して弛みを防ぐブレーキ部材６を介して図示しない上ハーフがかぶせられることでカセットケース内に収納される。
下ハーフ５には、その下面側に、前後へ摺動するスライダ７を有しており、このスライダ７が前後へスライドすることにより、磁気テープ１が通されているポケット部８の下方側が開閉される。
【０００３】
磁気テープカセットにおいて、シート３，４には磁気テープ１側へ突出するシボリ部３ａ，４ａが、シート全幅にわたって形成され、このシボリ部３ａが磁気テープ１の巻面に線接触することにより、磁気テープ１を円滑に走行させることで磁気テープ１の巻き乱れを防止している。
【０００４】
【特許文献１】特開平１０−３３４６３３号公報
【発明の開示】
【発明が解決しようとする課題】
【０００５】
ところで、近年、磁気テープ１へ記憶させる容量の増加に伴い磁気テープの幅寸法が大きくなり、磁気テープ１自体が重くなる傾向がある。
磁気テープ１が重くなることに伴い磁気テープ１が巻回された巻取ハブの荷重も大きくなり、巻取ハブの下側面が下側のシートに対して接触抵抗が大きくなることによって、走行する磁気テープに支障をきたすことが懸念されている。
【０００６】
本発明は、このような事情に鑑みてなされたもので、巻取ハブにおける接触抵抗を低減させることで磁気テープを円滑に走行させることができる磁気テープカセットを提供することを目的としている。
【課題を解決するための手段】
【０００７】
本発明の上記目的は、上ハーフと下ハーフとを蓋合わせ状に結合して形成されたカセットケースと、カセットケース内に回転可能に配され、磁気テープを巻回した一対の巻取ハブと、巻取ハブの上側と下側に配置されたシートとを備え、下側のシートにおける巻取ハブと接触する位置に、巻取ハブ側に突設されたシボリ部が設けられていることを特徴とする磁気テープカセットによって達成される。
【０００８】
磁気テープカセットは、磁気テープを巻回した巻取ハブが突設されたシボリ部と接触しつつ、下側のシートの他の部位に接触しないように構成されている。すると、磁気テープの走行時には、巻取ハブがシボリ部によってシートに接しないように上方に持ち上げられた状態で回動する。このとき、巻取ハブとシートとの接触抵抗は、従来のように巻取ハブの下側面がシートと面接触した場合の時に比べて小さくなる。このため、本発明に係る磁気テープカセットによれば、磁気テープの幅寸法が大きくなり、磁気テープを巻回した巻取ハブの重量が大きくなっても、巻取ハブとシートとの接触抵抗を低減させることで、巻取ハブの回動を妨げることなく磁気テープを円滑に走行させることができる。
【０００９】
上記磁気テープカセットは、シボリ部が巻取ハブの磁気テープを巻回する側壁の端部に接触するように設けられていることが好ましい。
【発明の効果】
【００１０】
本発明は、このような事情に鑑みてなされたもので、磁気テープを巻装した巻取ハブとシートとの接触抵抗を低減させることができる磁気テープカセットを提供することを目的としている。
【発明を実施するための最良の形態】
【００１１】
以下、本発明の実施形態を図面に基づいて詳しく説明する。
図１は、本発明に係る磁気テープカセットの一実施形態を示す斜視図である。
図１に示すように、磁気テープカセット１００は、上ハーフ１０と下ハーフ１１とを蓋合わせ状に結合させてなるカセットケースを有し、下ハーフ１１の下側面に前後方向にスライド可能に装着されるスライダ１２とを備えている。
【００１２】
カセットケース内には、後述するように一対の巻取ハブ２２に巻回され張架された磁気テープ２１が収容される。磁気テープカセット１００の非使用時は、巻取ハブ２２が回転して磁気テープ２１が弛まないように、巻取ハブ２２の回転を禁止するブレーキ部材１３が上ハーフ１０に設けられている。ブレーキ部材１３は、２つの制動片１３ａを有し、該制動片１３ａが巻取ハブ２２の上端部に設けられた歯車と係合するように構成されている。磁気テープカセット１００の非使用時には、ブレーキ部材１３は、制動片１３ａが巻取ハブ２２の歯車に係合するように、ねじりコイルばねを用いたブレーキばね１４によって付勢されている。
【００１３】
上ハーフ１０には、カセット非使用時において、一対の巻取ハブ間に張架された磁気テープの部分を保護するため上ハーフ１０前面に前蓋１５が設けられている。
【００１４】
下ハーフ１１は、略長方形状の底面１１ａに、カセット使用時においてカセットケース内にリール軸を挿入するためのリール軸挿入孔１１ｂを有し、底面１１ａの左右両端は前方に伸びる張出部１１ｃとなっている。左右の張出部１１ｃには、磁気テープをガイドするための円柱状のリブ１１ｄが設けられている。この左右の張出部１１ｃの間の空間は、当該磁気テープカセットが装填される記録再生装置側に設けられているいわゆるテープローディング装置が進入するための空間である。
【００１５】
下ハーフ１１の底面１１ａには、上方視においてハの字状に設けた壁状のリブ１１ｅが立設され、その前方中央に柱状のリブ１１ｆが設けられている。そして、この柱状のリブ１１ｆと前記壁状のリブ１１ｅとの間にＶ字状の板ばね１６が挿入される。
【００１６】
スライダ１２は、下ハーフ１１の底面１１ａに下側から接してカセット前後方向に摺動するが、前方に位置するときは、前記下ハーフ１１の左右の張出部１１ｃの間の空間およびリール軸挿入孔１１ｂをスライダ１２の底面１２ａにより防塵のため塞ぐようになっている。また、スライダ１２が後方に位置するときは、下ハーフ１１の左右の張出部１１ｃの間の空間を解放するとともに、スライダ１２の底面１２ａに設けられた２つの孔１２ｂが前記下ハーフ１１のリール軸挿入孔１１ｂと一致するようになっている。
【００１７】
スライダ１２は、磁気テープカセット１００が記録再生装置に装着されたときは、後方に移動されるが、カセット非使用時には、前記Ｖ字状の板ばね１６によって前方の位置に保持される。このＶ字状の板ばね１６の付勢力を受けるためにスライダ１２の前方に壁状のリブ１２ｃが設けられている。
【００１８】
上ハーフ１０と下ハーフ１１の間には、一対の巻取ハブ２２が収納される。磁気テープ２１は、これら一対の巻取ハブ２２に巻回されている。巻取ハブ２２の上端部周面には、歯車２３が設けられており、前述したブレーキ部材１３の制動片１３ａが、この歯車２３に係合することにより巻取ハブ２２の回転が規制される。
【００１９】
また、磁気テープ２１を巻回した巻取ハブ２２をカセットに収納する際、下側のシート２４及び上側のシート２５が介在される。これら上下のシート２４，２５には、それぞれ孔２４ａ、２５ａが形成されている。シート２４，２５は、孔２４ａ、２５ａを、下ハーフ１１の符号１１ｇで示すリブに通すことによって位置決めされる。
【００２０】
上側のシート２５は、カセット左右方向に、磁気テープ２１側（図１において下方側）へ向かって突出する２本のシボリ部２８を有している。また、下側のシート２４は、磁気テープ２１側（図１において上方側）へ向かって突出する２本のシボリ部２７を有している。シボリ部２７は、磁気テープカセットの前後方向に孔２４ｂを挟んで延設されている。
【００２１】
シボリ部２７、２８は、いずれも下側のシート２４及び上側のシート２５を磁気テープ２１側へ突出するようにしぼり加工を施すことにより形成されている。
【００２２】
磁気テープカセット１００において、下側のシート２４及び上側のシート２５に設けられたシボリ部２７、２８が、巻取ハブ２２に巻回された磁気テープ２１を上下から支え、同時に磁気テープ２１の高さ規制をしている。このように、シボリ部２７、２８を有する下側のシート２４及び上側のシート２５を介在させたことにより、磁気テープ２１の走行高さが適正に規制されるとともに、滑らかなテープ走行が実現される。
【００２３】
本実施形態の磁気テープカセット１００において、下側のシート２４の孔２４ｂの開孔縁周囲には複数のシボリ部３１が巻取ハブ２２側に突出するように設けられている。これら複数のシボリ部３１は、孔２４ｂの縁部に間隔をあけて形成されている。
【００２４】
図２は、図１に示す磁気テープカセットを組み立てた場合における、下側のシートと巻取ハブとの状態を示す断面図である。図２に示すように、下側のシート２４に形成された複数のシボリ部３１が、巻取ハブ２２と接触する位置に設けられている。
【００２５】
巻取ハブ２２には外周側から径方向外側に延設された側壁部２２ａが設けられ、この側壁部２２ａの磁気テープ２１を巻回するテープ巻面２２ｂに磁気テープが巻回される。本実施形態の磁気テープカセット１００では、上記巻取ハブ２２の側壁部２２ａの下方端面が、下側のシート２４に形成された複数のシボリ部３１の上端部に当接するように構成されている。磁気テープ２１の走行時には、巻取ハブ２２は、側壁部２２ａがシボリ部３１と摺動することで回動可能に支持されている。
【００２６】
本実施形態の磁気テープカセット１００は、磁気テープ２１を巻回した巻取ハブ２２が突設されたシボリ部３１と接触しつつ、下側のシート２４のシボリ部３１以外の部位に接触しないように構成されている。すると、磁気テープ２１の走行時には、巻取ハブ２２がシボリ部３１によって下側のシート２４に接しないように上方に持ち上げられた状態で回動する。このとき、巻取ハブ２２とシート２４との接触抵抗は、従来のように巻取ハブ２２の下方端面がシート２４と面接触した場合の時に比べて小さくなる。このため、本発明に係る磁気テープカセット１００によれば、磁気テープ２１の幅寸法が大きくなり、磁気テープ２１を巻回した巻取ハブ２２の重量が大きくなっても、巻取ハブ２２と下側のシート２４との接触抵抗を低減させることで、巻取ハブ２２の回動を妨げることなく磁気テープ２１を円滑に走行させることができる。
【００２７】
図３は、本実施形態の磁気テープカセットにおける下側のシートの変形例を説明する図である。図３に示すように、下側のシート２４には、孔２４ｂの周縁に沿って上面視において湾曲した壁状のシボリ部４１が複数個設けられている。本変形例においても、シボリ部４１が、上記巻取ハブ２２の側壁部２２ａの下方端面に当接するように形成されている。
【００２８】
このように、下側のシート２４に形成するシボリ部は、磁気テープカセットを組み立てた場合に、巻取ハブ２２と接触する位置に設けられ、巻取ハブ２２を下側のシート２４のシボリ部３１以外の部位に接触させないように支持できる構成であれば、その形状は上記のものに限られない。
【００２９】
なお、本発明は、前述した実施形態に限定されるものではなく、適宜な変形、改良などが可能である。
例えば、巻取ハブ２２を支持するシボリ部３１，４１を下側のシート２４のみに形成したが、上側のシート２５に形成してもよい。
【図面の簡単な説明】
【００３０】
【図１】本発明に係る磁気テープカセットの分解斜視図である。
【図２】図１に示す磁気テープカセットの巻取ハブと下側シートとの状態を説明する断面図である。
【図３】図１に示す磁気テープカセットにおける下側のシートの変形例を説明する図である。
【図４】従来の磁気テープカセットの分解斜視図である。
【符号の説明】
【００３１】
１０  上ハーフ
１１  下ハーフ
１２  スライダ
２１  磁気テープ
２２  巻取ハブ
２４  （下側の）シート
３１，４１  シボリ部
【図１】
2005243080.tif 000003
【図２】
2005243080.tif 000004
【図３】
2005243080.tif 000005
【図４】
2005243080.tif 000006